(57)【要約】  専門の国内破砕容器のこのシステムは、完全にそのマニュアルのバージョンでは、有機を使用して、毎日の消費から都市廃棄物の種類の過度のレベルを削減する管理ブレードシステムは、パンクやときめきは、横方向の軸上に配置されては、それらをサポートし、それらを一緒に十分にお互いに、ロックなどの廃棄物の5分の1の最初のボリュームにそれほど特別な規定の減少を得る見つけるその軸とブレードと小さなハンマー廃棄物の種類ごとに（プラスチック、缶、牛乳パック、紙、ガラス、使用されるさまざまな種類のタイプによって有機物質、廃棄物が混在除去用ブレードの他の種類）は、主にこのシステムのために好奇心のシステムからのブレードの動きは、マニュアルのバージョンで動作歯車の特徴、彼の上眼瞼の開口運動は、単純な、これはふたを開けするのに役立ちます、ペダル歯側は、コンテナ内の順番にトリガに位置し、ドラムドライブで支援スプロケットのそれぞれの側の中には、ブレードのは、4行の各端では、フォームを特別に、このような破砕関数が発生するように設計の優先順位を回転位置するドラム位置飲み込むと廃棄物の容器に、大容量の削減効果の生産は、この専門知識をコンテナの種類は、手動または電動グラインダーの貢献（この発明の国内バージョンが表示されているさまざまな固定と携帯の形式）、時間とお金や物の動きによって生成された高コストを節約するためにコンテナの住宅街の両方から、などなどから自分たちのリサイクルへのパブリック容器、リサイクル作業の天然資源の一層の処理を防ぐために、資源の過剰消費を軽減する希少な自然、コンテナ、シュレッダー、これらの特定の種類のおかげで、これらの特定の専門ブレードシステムを備え、各ブレードの斜め横方向とねじれの弾性回転の二重の役割を独立しておかげで、容易にする再資源化を達成することができます指令2004 / 12/欧州共同体欧州連合の状態への転位の現在の第二段階で、それほど簡単なことを鎮圧するが課さ対象とする。
2010524805.tif 000002
【特許請求の範囲】
【請求項１】
これはギアを変換することによって達成されるメカニズムのシステムをベースに含まれて固形廃棄物の1このコンテナは、ガベージコレクションの国内ごみのコンテナの様々な形態を含む廃棄物の種類ごとに、すべてのバリエーションが特徴ですコンテナの手動で操作するスライド式のふたの回転運動の先頭開放の簡単な動きブレードは、ブレードの多様なシステムのおかげで5分の1に廃棄物の異なる種類のボリューム（1 / 5）を最小化するコンテナを、コンテナにそれぞれのタイプに適応内にあるの鎖の数それぞれのガラスを破るディスクモード小さなハンマー、そのお金を含む廃棄物の異なるタイプのふたの簡単なマニュアルを開くことから、バー、ペダルによる支援だ以来、その使用は電源が必要以上の強度などの粉砕ブレードの電源を与えるためには、切断、粉砕パンクの原因やこのような廃棄物の分割設計を完全に機械的な亜種生態系、その亜種と違って電動マニュアルですつまり、各専門のコンテナは、次のタイプのブレードは、次の亜種の規定を含む電力が必要です： 
型の高密度ポリエチレン製の型のプラスチック容器に破砕用ブレード、低密度ポリエチレン、ポリスチレン、ポリプロピレン、ポリエチレンテレフタレート。 
缶を収集するためのブレードの他の種類。 
他の牛乳パックを収集する紙及び板紙用ブレードの他の種類の1つのガラスのコレクション
1つの有機物のコレクション
と、別の廃棄物の収集を拒否する
【請求項２】
研削のメカニズムです
最初のステップとしての特徴、スプロケットの上部に位置する2つのドラムの円形の動きには、背面に向かって湾曲した蓋をスライドの水平方向の摺動運動は、コンテナの上に位置し、変換とは、コンテナの右側の壁、側波帯のペアのおかげで左右対称の歯、ジッパースライドショーとして動作し、各ドラムスピン左
これは、その軸上の振動は、スライド蓋の動きを、歯車あなたのより低いバンドの両側に圧延した際に、彼の目以上の範囲眉（または曲面上）として、側（または）、ドラム蓋の裏側右のを左には、別の軸上に、それによって、これらの円形の運動を引き起こす回転ドラムの各側の圧延の上側のバンドの歯に同じ方向に移動側のドラムとして、図2の位置は1、2、3、別の軸上では、上のスライド蓋を回転軸に両方のドラムを回転させるに見える。 
【請求項３】
スライド式のふたを開放を容易にするため、原因では上部のふたを開けて大きな力を与えるために手を容器の前面の下部（図1）水平バーを配置しますこのバーの下方への変位それぞれの外側レバーの水平方向の角運動は、外側両端に水平バーを結合するコンテナの左と右の両側に位置し、降順側のレバーのもう一方の端に鋸歯状のローラーの動きは、以前は次の範囲の中間軸上に、ギアを同心円状に高く、他にもある歯車に埋め込まれた下部の回転を引き起こすコンテナの各側の下部に、回転埋め込まれ、直接、各左側のカバーをスライドの右後ろの隅を行う未成年者には、チェーンの各車輪の主要な歯車に付いているのよじれの原因と（と位置2に示すようfef、3図2）の開放プルによって実行さダウンをカバーする支援は、車輪の上のロールには、文字列を実行する関数
鋸歯状のコンテナは、ガラスの両方のリアの角に、その下方への圧力の麓の小さな歯車狂ったの各コンテナの後部コーナーだけで上から道路の下のバンドの最後のレースを永続的に位置ィよって擁護さにあります。 
【請求項４】
2番目のステージ力学後でものの、時間の同期では、トルクでそれぞれ2つのドラムの上にスライド上部のふたのある原因
左上とは、コンテナの左右両方のドラムの中に（図3）横方向の動きの同期円形の回転結果で、順番にこれらのドラムにリード線は、それぞれの陸側のドラムターンギアを（図第4ポジション1と2は、敬意を、左のドラム回転中第5位の右ドラム用）1と図2は、自身の軸については、長方形のフレーム内に2つの別々の軸受によって埋め込まれたドラムと（図番号を参照して6）。
【請求項５】
は、低の並べ替え、長方形の箱の上昇がベース、またはふたをせずにされているフレームは、コンテナ内の上部ストリップでは、内部のベルトのように、ガラスの容器にヒンジの一連の位置を介して接続されて位置していますコンテナの背面壁の上部の角の大きさを許可するように彼らとの廃ガラスを残すことがフレームの場合は、コンテナのストライキと
固有関数と1つの手でフレームを、それぞれの軸がそれぞれの2つのドラム側の内部のクマ、順番には、上部中央の左フレームの左右両側には、添付されて軸受への装着（を参照して図6号と7位＃3）フレームは、廃棄物地盤の充電でのブレードのシャフトを支援する機能を持つため、素材の強力な構築すべきだと
十分に強いねじれの力は、主要なカッターは、フレームの左側と右側の壁に徐々に機能をフレームにベアリングでサポートへのドラムの双方によって生成さに耐えられる容器の独立した構造体としては、それに基づいて構成されて（）図8号参照してください
【請求項６】
ブレードのシャフトは、左と右サイドの下、それぞれの歯車が、 
ときに、これらの子供たちは、ドラムの各側でこれらの小さなギアを配置するとして、図6に示すようにサイドドラムのアクションを回転歯車を取得トリガされます（ただし、そのドラムの両方としてシャフトブレードサイドフレームの左右両側には8?図6に示すように）ので、4つの内部での支援を見つける埋め込まれている位置歯車
左は、各ブレードの4つの軸のそれぞれの両端左のドラムにも右と同じ権利をブレード軸のそれぞれの両端のドラムに位置する歯車、4つの内部の支持を見つけて、規定のホイールを順番に太鼓の同時回転の原因ごとにそれぞれのドラムの陸側の小さいスプロケットの同期回転し、上昇を与える
これにより、図6号で述べたように、各ブレードの回転軸の360度の生産では彼らは、それぞれのドラムでの小さいスプロケットと、例としては、4つの軸を描画しているのかもしれない以下の要件をそれぞれの場合に適用さによって異なります。 
これらの小規模なギアはR1、R2、R3とR4のための特定の機能（30歯のギザギザの歯のような手順での例のように描画同期回転は彼らの側ドラムによって生成の作用によって、各側のドラムトレッド内側の鋸歯状のバンド）（そのバンドの溝120内部の歯の例のように描かれて）内側のノッチされているためにスライダを移動することによってコンテナの壁は、この運動は、次のエフェクトを生み出す側は、両方のドラムを同期的にフレーム内には、それぞれの軸の周りを回転原因： エルカウンタの回転ドラム反時計回り左（カップの外から見て） として、時計回りに（また、コンテナの外から見られるの権利は、同じ意味で）回転ドラム。  ターンでは、これらのドラムの動きを4つの内の各は、次の効果がドラム：（図6参照）の建物歯車の同期運動を生成： ホイールはR1とR2は同じで左に曲がるドラムセンス90（コンテナの内側から見て） 内部のギア- R3とR4（建設では、R1とR2）を逆方向に回転させ、時計回りに（また、コンテナの内側から）は、回転初期の原因となるドラムの代替アクションを見たと同一下の内部ギアr10を持つ証券会社の介在90の意味での運動を交互にバンドを生成、その次の会議R3には、反対運動、すなわち、反対方向に時計回りに移動すると、同じ関数内で、ドラムの内側の縁ローリングは、投資が順番にR4は、彼には、ホイールR2はがされて隣接歯は、右のドラムに同一の逆のプロセスで得ている。 
このようにし、スライドカバーの機械的な動きの最後の初期効果4番目の軸研削の変わり目です
効果を、次の： 
第2番（E1、およびe2）は、クロックの洪水のときに、コンテナの内側から見たドラムのままにされる軸1との;回転しながら、これらの同じ軸がe1とe2の権利は、逆の方向には、クロックの場合、我々は、コンテナの内側から見て海域にドラム内で回転します。 
;回転の3軸と4行1のスピンと2の両方をたたく彼のと反対になる彼の左と右のドラム。
これにより、2つの上部ブレードをそれぞれの（E1とE3）で、他との間に、両方の軸の代わりに、逆方向に同期運動が生成されます以下のe2の2つの軸およびE4がお互いの間で。したがって： 
;軸E1およびE3、互いに反対の方向に発展するには、ながら運転粉砕しながらアプローチを最初に平らに低い軸e2のに向けてのコンテナの中央の領域に近似する廃棄物のタンクには、関数がありますおよび e4。 
;下の軸e2のおよびE4も、同じように、お互いの向かいには、約上の刃のシャフトまでは、最終的に屈服し、コンテナ船の下部に粉砕して粉砕廃棄物の関数になってしまいます転換。 
研削システム： 
この廃棄物破砕システムを他の事のための軸には、ブレードの対象と固定されていない間は2つの意味で携帯していますが特徴です。したがって： 
【請求項７】
でまず、軸には、ブレードの対象は、各ブレードを停止したり減速しながら、その厳しい内部のバネ軸クランプ地域の建物を許可しながら、その軸を回転できるように件名回転で動いている軸の周りの刃、これが難しい材料が不適切なため必然的にすべての廃棄物を組み込む研削が必要となります合格に必要な公差を得るためには、ブレードができます
は、その船着場は徐々に、橋脚の最大収縮で終わるようにした（内部カムシャフトの周り）は、初期のブレーキとは、ブレード（4?図9号、位置1を参照できるように継続するつもりはない位置）を引き起こす機械的な許容値は、オフにかまを制限-ブレード最後に、廃棄物の異なる種類の混合にも留意する必要がありますが、高効率ドライブの切断は、それぞれの
中にもこのレースでそれを円形の岸壁の長さに基づいて、円形の住居施設での調整ネジのような行うことができます廃棄物の種類、春のタイプは、多かれ少なかれ強い組み込むことができます。 
【請求項８】
2番目のブレードシステムも2番目の携帯電話対策を提供しますロックシステムは、平面の軸に垂直な刃の斜め横方向変位ができます
それは、他のブレードとの最初のパラレル離れるため、その時折斜めを外す最後に挽くそれらの通過を許可するようだそれ以外のブロックを終了その過度の厳しさや過剰な量を無駄にしない保存は、ブレードの位置これらの軸の遮断器の操作は、図10、11と12に説明した。 
まもまた、このシステムのグランド、カット、パンクを破って鎮圧に基づいているしばらくの間、ガラスのそれは、各廃棄物の種類のディスクをブレードの異なるフォーマットを使用して小さなハンマーを使用したり、軸のブレード間の部分的断面積、ロックされます。
【請求項９】
したがって、金属缶の場合はそのブレードをやや鈍され、堅牢なもの（つまり、図13号の例の方法ではブレード上で6つの爪軸と4つの爪で描かれています下の刃）です。 
【請求項１０】
プラスチック包装の場合は、そのブレードのシャープなカムの一連の導入（これは図14号の例の方法で12ブレードの爪軸と12、他の爪は、ブレード上に描画さが予想される下記参照）  
【請求項１１】
容器プラスチック箔（カートン）の裏地付きの場合は、そのブレードを薄くしているとシャープなエッジがあると予測包装のために提供（図15の例の方法で12ブレード爪で描画された軸と16爪の下の刃に）。 
【請求項１２】
廃棄物の紙および板紙の場合は、そのブレードに近い距離でお互いにするには、注文ストリップそれをこのようなカッターで十分引き裂かの形でカット原因に位置しているもの、伝統的な低い鋸歯ている（これはで描かれて
図番号16  40歯で、例として）
【請求項１３】
有機物はその軸の刃の幅を持つ最先端の小型の歯も一緒に強力なゴムローラーによって圧縮することができます彼のブレードを区切って設定されて数センチのはるかに広いセクションを組み込む予定ですゴム製のディスクの各軸のブレードの間に挟まドライブの高密度化によると、このような有機物の最大音量（）図17を参照してください。
【請求項１４】
これは、各小さなハンマーをディスクには、それぞれの関節腕で接続された番号がまた、破砕ガラス、スナップインによって作られ、ディスクを連続してお互いに設定すると、特徴と提案され（これは我々の場合のため、例では、スケッチは図の番号8の第18号）ので、そのこといくつかの小さなハンマーそれぞれのように円形の分野で各ディスクまでのステップは、各ディスクのラップ状のらせん状またはらせん回転または生成する、少なくとも二つの小さなハンマーそれぞれがコンテナの中央のくぼみには、ゾーンのすべてのポイントを殴らハンマー各点でのディスクの2つのロール領域のガラスが割れるためで、そして我々の例では、各部門本塁打、それぞれの2つの小さなハンマーがディスクと2つのローラーを逆回転ディスクの存在は、その操作は各ブレークポイントの4本の小さなハンマーをダウンさせ伴います。 
【請求項１５】
最後に、廃棄物の除去（画像なし19）のコレクションには、そのナイフの刃の異なる種類の混合物の上、すなわち、説明を含む予測して、プラスチック容器、牛乳パック、紙および板紙の缶の有機物質（除く小ガラスハンマーシステム）は、各ブレードの各部門のホームランでの回転に基づいて、各ナイフエッジ、これらの4種類の組み合わせは、各ブレードは、それぞれの軸方向に回転する円形の各四半期での配置位置を交互に、開示を挿入両方の4つのブレード、360°の連続回転軸の完全な各残基の破砕を確保を確保するための行の別の顔に続く 4、従来の方法破砕、異種の廃棄物の混合などは、まず、そのブレードの構成と循環しないではなく、やや楕円形（卵形）、としてのデュアル特定の機能を内しかも、その回転ピボットと同調して、その軸とターンと同じように楕円形のブレードは、前者に恒久的な接触を持ち、にもかかわらず、反対エキセントリックで実行される自分たちと同じ楕円形、2番目のブレードは、ターン均等には偏心が焦点プレゼンテーションを180度に最初に反対するとして、図19に反映し、その軸の対立の領域に影響を蛇行の定期的な回転を生産し上からの刃。 
【請求項１６】
しかし、このシステムは面白い機械粉砕ラチェット関数は、それぞれがそれぞれに収容されている軸受には入手可能ですできます以来、（と、自転車の後輪の歯車に起こる小さなスプロケットは、カッターシャフトシュレッダーの各端に、）などの機能を徐々に軸受軸は、各ブレードの回転できるように位置一つの方向に：ガラスを連続的に廃棄物の入力、このようなピニオンベアリングやラチェットなく、その最大容量に達することができます逆の方向にその軸の回転速度（としてこのラチェットとしては、自転車の後輪の歯車）は、それぞれのドライブプーリーには、各ブレードは、ドラム低いギアの方向にその軸にスピンを提供する軸が運動を送信飲み込む中央のガラスを飲み込んだ廃棄物は、役割は、徐々に運転していない場合、または方向を変えるドラムスリップ撮影に移行しなかったので、これらのマイナーな歯車それぞれのブレードのため、船の進行充填、その結果となり、ドラムの機能ブロックを充填するまで廃棄物を細断処理は非常に効果的な圧縮反対の動きは、低いギアにドラムを引き起こす軸側は、上向きの推力の廃棄物まで、張り過ぎることによって引き起こされる結果としては、フレームのフロントフラップの上昇に圧倒される
は、ヒンジ側に固定した上でピボットカップのトップとフレームの下部に、スライド蓋の通路窒息。
【請求項１７】
このシステムのもう一つの特徴は、地面が発生した側のドラムの回転：いないときを開くために、その下の壁には、コンテナの上部にふたを移動するが、同じですが、上部のふたの終わりには、前方の閉鎖に、その操作は、多かれ少なかれ有害廃棄物を破砕するときのふたを閉じていることにより、可能性を避けるに行われる確実に描画される
期待に、このような破砕関数構成されます：上の蓋の開放の動きをしないことにより、ときにされたときにはふたを開けてブレードのシャフトの回転が発生する可能性がたまり引き分けを含め、リスク、しかし、オープン時に終了します。ターンでは、これらの措置は、バイザーの期待型の蓋では、一緒にいる第三百六十ヒンジをスライドさせカバーを補足される垂直方向のフロントエンドから落ちてカバーをした
ときに、蓋を閉じているスカートのように2番目の安全キャップを行うと、ときに、このスライドの上端を開き、処分のための十分な範囲されている破砕帯の高さで廃棄物の2番目のふたを開ける後方に、元に戻す1つの場合は、このダウン粉砕され、その関数を始めることができる廃棄物の不法投棄の地面の領域では、2番目のキャップ、これをドロップすると
バイザーキャップ（これは、コンテナのスライド式のふたをする）ことにより、操作の安全性を確保する添付されている廃棄物の入口覆われて地上2！。 
【請求項１８】
その下のホイールブレーカを許容し、ステップの幅よりも廃棄物の入り口では、結合軸のブレーカから発生する可能性があります問題は、上記の許容範囲に加えて、直面してできるようにドックやシステム
自分のナイフにクレーム第7号（）と主張する第8号）のクリアランスの最終的なシステムを提供している（下にこのようなブレードの各軸上の他の耐えることができます斜めねじれの下に組み込まれ（図に記載され第21号）を提供することは、ブレーカの下に、ラック内の軸の固定型の構成になることが最初の抵抗を克服するために設計は、許容範囲かの春のシステムの配置
緩み、どちらかの端に位置する（または、右、または、各軸の両端の時）には、それぞれの軸の方向に垂直に配置し、それぞれのボックスの中には、フレームの両側に左（としてのポジション1、2の例では、3図第21号のように、右側にある）を持つボックスをこれらの軸の主，の下の両端に対応するために設計され、その唯一の使命を有効にすると明らかにした2つの車軸以下のブレードは、通常の並列処理を分割するため時折開いて、ピッチなどのオープンにはさみのペアは、そのために車軸のリリースでは、resiuduosの通過を許可するように少なく、最終的に確保されてセキュリティの金属チェーンスプロケットのサラウンド効果（としては、R3とR4のギヤ、ドラム内でこれらの軸の下の両端の回転制御）としてもホイールのR4は、ポジションを2と3は、図21号に反映し、その最初の場所を失うことになると、巣の中に、その時々の旅行は、必ずしも緊張のチェーン上の行使を介してスイングするための小さいスプロケットr6が、その引張軸は金属チェーンのように起こっている同様のホイールR4の初期位置の変化にもかかわらず伸びている。    同様に、別の軸の強制変位、e2で、下位もの同一の巣の中に彼のシフトの末までに発生するフレーム上に、それ以降斜め方にギザギザのストリップに沿って圧延指示される強制的に変位せずにチェーンのある温泉右のドラムの内側の縁。 
【請求項１９】
ブレードの4つの軸の連続洗浄については、各軸の下で、被写体がフレームに固定して配置し、金属製の櫛の配置を期待されて
クリーニングは、それぞれの縦軸上の突起の回転と先見ように、突起の継続的な洗浄とは、これらの軸のブレードの間にはまり込む可能性がジャー廃棄物を確保することができます、車軸以下は、その前の下方修正はE2およびE4の緩みの極端な権利者に許可をスクロールすることができます車軸を考えると、それが期待されている優先順位の櫛の服従
以下は、フレームは行われているが、直接並列永久に次の優先順位に接続されフォークで。 
【請求項２０】
開放については、コンテナ船閉鎖曲線の配置を空空にすると予想されているフレームの前面側の下部から突き出したフック穴に装着されることが期待されている前面の左上端に効果が有効コンテナは、抑圧的な効果では、
これらは、それぞれのドックの原因は、これらの石の蛙を停止する必要がありますに添付されているフックターンを期待フックは、そのような、これらの櫛収集車アンローダの腕に位置しての行動によって中和することができますフックにバネの圧力ができるようにトリガ上でこれらのトリガので、その穴が、これらは、これらの侵襲的な役割をリリースフックを下に位置している内に、櫛の上向きの圧力をガラス上にフックします。
【請求項２１】
また、シンプルな家庭用のコンテナの下にあるオプションの配置タイプ規模な電子重量インジケータ付きのため、下のトレイの間に位置することに提供し、重量センサ、およびそのコンテナのどちらかによって供給することができます下、単純なバッテリ充電や、自分自身のスピンで充電されている発電機は、このジェネレータは、ブレードの軸の両端に配置することができますから、サイドドラムの軸
電子インジケータは、コンテナのすべての目に見える部分のように伝統的な体重のメモリシステムを通じて、廃棄物の重量は、我々はこのようなコンテナを使用するたびに行ったことを示すことが彼に重きが置かれることがあります。 
【請求項２２】
同様に、あるときは、コンテナがいっぱいにする可能性が通知をコントロールセンターには、廃棄物の最終的な体重のデータを収集することができますが送信されますので、長いです
電気回路のSMSメッセージをシンプルな携帯電話を介して、ブロードキャストのようなシステムを搭載、（その電荷のいずれか、独自のバッテリーや、独自のスピンで充電されている上記のシステムの発電機を介して）そのメッセージを行うことができますときに、フレームのオーバーフローのための彼の側に提起前には、削減することsuperelevation常設サーキットその警告信号に応答するように原因をアクティブに
実際のオーバーフローが、このような信号情報と組み合わせると、しているなどの情報を活用し、リアルタイムで提供され、コンテナがいっぱいにすべての回では、既知のことができるように設計ルートを明確にすることができますキロを受信そのコレクションの型のGPS循環最も経済的なルートを整理することができるシンプルなブラウザプログラムは、いくつかのインターネットプログラムなどを介して。 
代替電力： 
【請求項２３】
のように最初の選択肢が少ない生態学的には、コンテナのスライド上部のふたを手動で変位が原因で発生することができる電気モーターを分離して、コンテナのフレームには、容器に配置配置することにより、機械原点に置き換えると、電源または運ぶことができる電源またはポータブルバッテリコンテナコンテナに組み込まれた外部ネットワーク、電気のこの種の特徴のための原動力
ドラムではなく、あなたの上部のふたをする必要がありますが、チ、モータのシャフトドライブは、フレーム内に位置している喜んでいるか、サイドでは、ドラムまたはその両方、または隣接するシステムを介して、ドラムとを確保するため歯車太鼓のモーター（）図24号をご覧ください。 
【請求項２４】
として別の場所にエンジンを上記縦方向の中央の基本に沿って、コンテナの下で、このエンジンを期待することができますこれは、の左側と右側の壁には、この軸の両端に突出する軸の両端には、下の中央の領域でのコンテナは、2つの別々の左と右の軸にして、各側のドラムの動きをドライブしている円錐形の歯車伝動装置、およびストラップとチェーン、プーリーまたはスプロケットであっても、チェーンの分離では、ガラスからのモータの伝送に位置されている廃棄物は、別の側面の下で保護され、その開放の期待を持ってふたを臨時メンテナンスや修理のために、外部のヒンジ装備し、また、上部外容器内にベルトやチェーンの配置の場合、および計画されてカバーシステム変更のカバーの下に、自転車のシフトシステム（）のような横からのこれらの伝動ベルトやチェーンを通過できるようにする歯車それと並行し、ドラムので、これは、かつての外部器を通過することができますピニオンギヤシステムの電源を有効に車軸ピニオンギヤを別のピニオンの横に同じドラムスプロケットチェーンスプロケットパラレル、ドラムので、伝送のチめチェーンにはドラムと彼の添付ファイルのフレーム側にリリースする予定なので、フレームのうち無料のことができる彼
いつもの場所は、容器を空にできるようにするには、サイドドラムの駆動チェーンには、圧着、上記の変更を歯車を介してチェーン駆動システムの動作を有効に発生することが予定されての場合は、電圧が許容されサプライチェーンの追加遊動輪のベルトやチェーンは、付与された垂直方向の移動に沿って配置を提供することで要求された許容範囲。 
別の家庭ごみ（コンテナ）図＃22参照してください
【請求項２５】
その他にも国内のゴミコンテナを提供しますが、小さいサイズのが、同一の研削モータの選択肢、すなわち、手動または電気だけでなく、同社のハイブリッドシステムと、家庭ごみのコンテナのタイプの特性があるものの、コンテナには、携帯の代替ミルです、すなわち：ホイール、ディメンションを持つ
が、公道での使用を意図し、またごみコンテナのオプションは、固定寸法は、キャビネットのモジュール内に位置し削減を提供します以上の削減は、例えば、キッチンでは、ギャラリーなどのベンチを配置する先見の明の基本的なブレードの研究（そのよう、より適切な共同カッターの拒絶反応が）は、この代替国内コンテナに入社、システム内のブレードのすべてのタイプを組み込むことがすべてのように基本的なモデルや一般の下で定義されたと主張する。
【請求項２６】
これらのすべての変数を無効のため、その安全キャップときにのみ保証がない、その操作が安全されます研削、いずれかの理由がブレードを移動しているふたは、入力が閉じてあなたのシステムを運用することができる国内のゴミコンテナの特徴があります（いずれかに、または電気駆動力）、またぁ?たはこれは、ふたがある場合の安全性グリッドの間に位置していますが開いている機械カバーとブレードでのみ可能だ
小さな破片の一節は、利用者の身体手足の可能なエントリを防ぐ、そのユーザーは、エンジンを停止し、それらのバラバラのを逆にそれらを運転することができますごみ容器の口の近くにある上に、外部スイッチの規定による支援の場合の代替科目や、打撃刃のシャフトの回転動作速度が手動でシステム用のブレーキレバーを見越して
バンドの運転では、R2のフロントホイールの接触領域の下にブレーキのボルトは、どのような2つの車軸以下のブレードに動きを与えるが、ドラムロールの内部。 
【請求項２７】
ブレード粉砕機の品種をダブル拡張子： 
その機械的開放の各操作をカバーしたと仮定すると十分な廃棄物の任意の特定の種類の破砕のために望ましいと考えられるされていないが、各ブレード軸シュレッダー
、単にスプロケットと右側の左横下の左と右の帽子の双方に連絡を歩くとトレッドドラムの間に二重の開発を仲介するすべての開いてカバーを返すの詳細を開発ので、その上運転で、移動siqmultaneamente他の歯車それに同心円が、お問い合わせは、ギアになります歯数の2倍（または、トリプル、4人、等） 
人は、各側のドラムトレッドを移動するための責任になります。
【発明の詳細な説明】
【技術分野】
【０００１】
本発明は、既存の廃棄物のリサイクルシステムには、現在の公共ごみ容器のようにボリュームを減らすために機械的なシステムを組み込むことによって貢献することを目的その日の人間の消費からの固体廃棄物の種類、より多くの天然資源の変換を避けるために、原材料のように、無責任な悪口の消費を軽減する、ますます少なくなっている。
【発明の開示】
【課題を解決するための手段】
【０００２】
このシステムは、単純な手動メカニズムでは、コンテナのスライドトップオープンの蓋、移動の単純な運動変換することによって達成される歯車のシステムの構成に基づいているブレードの軸の回転運動都市固形廃棄物の種類の量を減らすことによって、などの容器、缶、紙、有機物質、廃棄物の除去、さらにガラスは、ブレードの多様なシステムに応じて実現しています各廃棄物の種類には、適応は、ガラスのケースの小さなハンマーで、ディスクシステムに置き換えられて、されて十分なシンプルなようにと移動するには、は、これらのブレードにさらに力を与えることは、自分の体の重みをシフトペダルを助け（これ以外の金属容器の場合に不可欠であり、その高い硬度付与）ペダルクラッシャー削減電源を入れます。
【０００３】
なぜなら、機械の手を使用し、そのマニュアルを完全にその使用の有機さの本発明は、以来、すべてのエネルギーを消費しないように、政府のさまざまな木の枝で仕事をしようヨーロッパ（地域の国家行政機関と地方）指令2004年の実装では/ 12 /欧州共同体の加盟国は、欧州連合の義務に関する施策の転位は、これらの現在の第二段階で達成するために採用を課した目標： 
【０００４】
私）いいえ遅くとも2008年12月31日55％の最小値からリサイクルされる容器包装廃棄物の重量が80の最大値。 
【０００５】
2）いいえ遅くとも2008年12月31日
材料、包装廃棄物に含まれる以下の最小のリサイクル目標を達成する：
1）ガラスの重量で60％。
2) 紙および板紙の重量2）60％。
3）金属の重量比で50％。 
4）プラスチックの重量比で22.5％、排他的には、背面のプラスチックにリサイクルされる素材を数え、
5）木材の重量で15％。
【０００６】
都市固形廃棄物の選択的なコレクションは、現在のシステムに直面してヨーロッパ全土に基づく廃棄物のコンテナのような公共の場所での場所でのみ差別色や形が広く、
このシステム全体の革新ので、それは五十からカットされる廃棄物の減容システムが導入さ回、
既存の廃棄物収集システムのボリュームを両方ともや空気廃棄物の大きい質量のため、空の高価な交通を排除たち破砕や圧縮ブレードの奇妙なシステムがパンクし、
カット、粉砕、さらに小さなガラスのブレーカは、かつては様々な主務官庁領収書のガベージコレクションから、
地方公共サービスを要求するまでの後都市固形廃棄物の各廃棄物の種類のコレクションのための特殊なコンテナ型の確立を通じて、
さの段階で、実装は、少なくなくとも容器は、次の種類が存在する必要があります： 
プラスチック製の型容器HDPEの、低密度ポリエチレン、ポリスチレン、ポリプロピレン、ポリエチレンの固有のコンテナテレフタル酸（黄色など）  
缶のコレクションのコンテナの他の型（グレー）例; 
他の（例えば銀）牛乳パックを収集する;  
紙及び板紙のコンテナの他のタイプ（ブルー）例; 
1つのガラスのコレクション（）ライトが緑色例; 
1つの有機物のコレクション（茶など） 
と、別の廃棄物の収集の除去（）からの伝統的なダークグリーンの例
【０００７】
その後、この範囲は他の特殊な容器に、これらは、現在の所有者グリーンポイントに実装できるように拡張されることがあります
一般特別各市町村では、より特殊なコレクションのためのコレクションなど、作成者：電池、家電製品、家具、木製のテーブルまたは他の粗大ごみ、さらには、織物、家庭廃棄物または他の潜在的に汚染環境油などや、化学物質の生分解性洗浄剤、ワニス、塗料、洗剤、医薬品等されていません
【発明を実施するための最良の形態】
【０００８】
入力すると、本発明の技術は、機械的な破砕システムの最初の段階機械的な動きは、曲面のふたは、コンテナの上部にあるのスライドは、その背面に向かって、水平方向は、この変換によって生成の変換に基づいてスプロケットは、コンテナの側壁に位置する2つのドラムの円形の動きに開放移動する（両方の上の部分に位置して
左と右）左右対称の歯のジッパーをスライドショーとして動作するシステムを通じて、それぞれの額（）としてあなたの目（または）回転ドラム、曲面上とドラムは、各ドラムのスピン配置する左上とは、コンテナの左右、回転の軸上にスライドカバーの移動で、歯自身のバンドは、左側の底面と上にある原因
は、ボンネットを右に移動する外側の表面の歯のように、各側は、別のフレームには、サイドドラムの円運動の原因として、図第2の位置は1で説明した発生しているドラムを歩く、 2と3。
【０００９】
また、ために彼の手にふたをスライドの開放を促進するための水平バーの配置は、コンテナの前面の下部を提供します（図1参照）は、の順序は、上部カバーを開くことに大きな力、どちらの側に、それぞれの外側レバーの下向きの角運動で、水平バーの前進運動の下方シフト、左を与えること右は、コンテナので、その歯のローラーの動きが、各レバーの下の回転ギアを同心円状に埋め込まれた生産の端に位置し、他の
大きなスプロケットのそれぞれの側の下部に位置するコンテナは、回転は、チェーンのよじれの原因によると、周囲の各主要な歯車の両側に位置して、直接、左のリアコーナーへのリンクこのスライドの右上として、ポジション2で説明し、3は、図2で、順序は、ふたを開く関数は、下向きのプルによって実行を支援する
そのチェーンスプロケットのコンテナの麓に位置するとロールバックされている。
【００１０】
それから2番目のステージ力学では時間の同期、その運動は、それぞれ2つのドラムは、コンテナのこれらの左と右サイドの壁の上部にあるのでスライド上のふたで、円形の動きを生成の原因それぞれの2つのドラム側の同期にオフにそれぞれの軸（図3）は、これらドラムそれぞれを明示的に図4の位置が1と2に示すように、ドラムの内部にある歯車を回転させるようにドラム、および図5号の位置が1左2、そのドラムを交互に矩形のフレーム内に埋め込まれているそれぞれの軸によって保持され、ドラム権利のために2つの別々の軸受として、図6に示す。   には、内部のストリップとしては、コンテナ内の上部ストリップに位置して、このフレーム、ターン、材料を十分に頑丈なのは、ブレードのさまざまな軸を生成しますが、予測可能なねじれに耐えられるように構築しなければならないことこれは例を図2で与えられると、次のブレードの4つのセットで構成されてサポートするものの、優先順位があります上位または下位の番号は、必要があると軸が、彼らの下で駆動に依存すること、各車軸の両端側のドラムとして図上記の説明の回転操作によって移動される歯車いいえ6ブレードのようなギアのシャフトの下では、これらの軸は、フレーム
左側と右側のを介してサポートされている側のドラムに配置する
徐々に機能を使って独自のベアリングも、左の各軸の右上にあるとして、図7に示すように、8、フレームの船に独立した構造体として構成されているそれとは対象サポートしてその下側に、いくつかのヒンジは、コンテナの背面壁（図番号6、7、3位、図の上部にあるが確保されます。8、20）ようにフレームにスイング可能性があります
ガラスを完全にするので、廃棄物を導入（包装用缶など）の際には、ブレードの作用によって粉砕横軸に、同期的に両方のドラムによって駆動垂直配置、空のこととして、我々もいるのフレーム内に埋め込まれた（図8の位置が1?4）は、フレームに埋め込まれて見られるようなクッションを徐々に機能を意味する2つの別々の軸受ドラムクレイジーで両側にスイングします。
【００１１】
これは、この第3段階整備のために、しかし、同じ時間に同期されている最初の2つ、両方のドラムを同時に反転側と4つのギアの各グループには、次の同期回転されるが生成されますが原因のトルク一緒に、2つのドラムの中にその位置の下側では、側：4つの内部にある歯車を支援することに参加して
左には、各ブレードの4つの軸のそれぞれの両端左のドラムと他方の各4つの内部を支持する発見は、権利と同じ権利をブレード軸のそれぞれの両端のドラム上にある歯車は、規定の各ドラムの内部にある歯車は、各ドラムの同時回転させる（ターンのふたのスライドアクション）は、スピンに上昇の原因
ごとに、それぞれのドラムの陸側の小さいスプロケットのを図り、各ブレード軸を、それぞれの描画（はR1、R2、R3とR4）太鼓のその内側の車輪の回転を引き起こす同期各30歯の例の方法によって、各ブレードの4つの軸に、されて実際にこのようなシャフトは、フレームをサポートにもかかわらず、それは、このフレームを構成する360 °回転させる
以来、これらのドラム軸をサポートしないの両方の不動産をサポートする2つのサイドドラムとブレードの4つのセットとして、それらのすべてに組み込まれている軸受フレームの横を介している（）は、図6と図7と8を参照してくださいのみを移動させる。 
【００１２】
同じ舞台で量子力学ではの奇妙な配置は、4つの下の両側の内側にドラム収容歯車（として示さ通知する必要があります
図番号6）、1つの手が、同等の措置の歯車R1とR2は、両方の半径は、バンドの内部ドラムローリング上記鋸歯状陥凹のような30鋸歯状の歯の手順の例のように描か（ドラムの内部120内部の歯を例として）、変位などの原因と同期して、コンテナの後ろの壁には容器にふたをスライドに同じ移動ターン描画されている両方の
サイドドラムを同時にラック内のそれぞれの軸については、次の方法で回転さ：最初に、彼のカウンタの回転ドラム反時計回り左（コンテナの外から見て）、およびドラム彼のターンとして、時計回りに（また、コンテナの外から）が見られるのと同じ意味を右では、この内の4つの建物の中歯車の同期運動の原因とターンそれぞれ、次の効果がドラム：として時計回り（コンテナの内側から見た最初の（）は、車輪r1とr2のドラムと同じ方向に彼の左にスピン図6を参照）しながら行う内部の歯車、R3とR4（建設、R1とR2）は、逆方向に回転するため、時計回りに（また、コンテナの内側から）は、アクションの回転を変更する方向で見られる同一初期の小さいr10を（同じ図6）を持つ証券会社内部の歯車の出願の原因とドラム90の意味での運動を交互に太鼓の内輪に移動トレッド生成は次のR3のホイールの反対運動は、逆の方向にすなわち、同じ関数では、投資が順番にR4へホイールr2の生成、および、均等に隣接する中で、時計回りに自分の歯では、r2の動輪彼の次のR4のには、右のドラムに同一の逆のプロセスでの結果とは逆の動きを、彼が発生します。 
【００１３】
したがって、との順序で説明するために機械的な動きの4番目の初期効果として、砥石軸の回転を指定する必要がありますが、軸1の場合には第2番（E1、およびe2）は、その回路時計の洪水のときに、コンテナの内側から見たドラム、左に
これらの同じ軸e1とe2の間の権利は、反対の方向に対し、時計の場合、我々は、コンテナの内側から見て海に車軸3と4の場合には、ドラム内で回転する行1のねじれと2の両方でドラム彼に反対する彼の左と右か、まだまた、2つの軸の両方の上部ブレードを、お互いの間で反対の同期運動を生成していくというドラム（ e1と
E3）の少ないe2の2つの軸およびE4、お互い年の間に元を粉砕するため、それぞれ、他の両方のE1およびE3軸の反対の方法を回すと、コンテナの中央の領域に近似する廃棄物のタンクへの機能を持ってが推進し、最初にこのような残渣粉砕、中には下の軸に近いe2のおよびE4は、順番に、その役割を破砕機ではそれらを飲み込むために、またそれらを転換
同じように、お互いの中には約上の刃のシャフトまでは最終的には負けるとコンテナ船の下部に粉砕してなる廃棄物の破砕反対です。
【００１４】
一方、圧縮では、廃棄物の交差点をロックでつぶしたり、部分的にその軸の刃間の相互後述するようにを除く廃棄物ガラスのすべてのタイプの同じ小さなハンマーのシステムではなく実行されますしかし、あなたのディスクのブレードの形式の廃棄物の種類に細断処理するに応じて異なりますが、すべてこの新しいブレードシステムの特徴です
ので、その軸にこのようなブレードの対象と固定されていないと、いくつかの電気グラインダーを組み込む2つの方向に動いている： 
A）まずその添付ファイルを回転では、ブレードサーバーを停止したり、ゆっくりだが、その軸を有効にしつつ、軸の周りのブレードの軸クランプ領域に収められ、その厳しい内部のバネを許可するよう、携帯していますしたがって、ブレードは、必要な公差のステップを得ることが可能になる、および材料の破砕困難にも必然的に、ほとんどすべてのアミノ酸残基を組み込むに適さないを必要とするものの、徐々桟橋埠頭の最大収縮で終わるようにした（軸の周り）に位置し、内部カムシャフトなど最初のブレーキとブレード、4?図9号、位置1を参照できるように継続する）つもりはない、寛容のメカニズムには、強い衝動に駆ら最終かむかむに制限する結果
廃棄物の異なる種類の混合も、心の中で廃棄物の種類ごとに春のタイプは、多かれ少なかれ強い組み込むことが負担する必要がありますし、ブレード、高効率、中にもレースを行うことができますサーキュラーキー、それの長さには、例えば円形の住宅施設ねじ込みでは、ドックの規制によって異なります。 
【００１５】
のB）2番目のブレードシステム
回転の機能を独立した携帯電話で寛容、その軸を、また、彼の初期の並列性を残し2番目の対策では、飛行機の翼に配置されている軸に垂直な刃の斜め横方向変位できるシステムをロックして他のブレードので、と彼らがときどき斜め?を外す、最終的に押しつぶさすることはできませんこれらの廃棄物の通過を許可するようになるあなたへ彼女も厳しく、またはすぎる
ボリュームは、それ以外の場合、これらのシャフトのシュレッダーの機能ブロックとして、図10、11、12で説明したように終わるだろう。 
【００１６】
ブレードの各タイプのデザインに関しては、それには、金属缶の場合には、ブレードをやや鈍され、強い人人図第13号の例の方法でのブレード上で六爪で描かれて提案されて軸と下のブレード上で4つの爪一方、パッケージの場合のそのプラスチック製のナイフで、これを図14号の例の方法で12ブレードの爪軸と下顎に12他のブレード描かれて鮮明なカムのシリーズを組み込む意図した場合のカートン、または牛乳パックのブレードを鞘アルミに覆われた薄くしているとしてこれを図15号と12ブレード爪の例の方法で描かれてシャープエッジ、軸と16下刃爪、順番にセトリング時間は、廃棄物の紙やボードのブレードに近い距離でお互いに位置しているケースでストリップをするために十分な荒廃の形でカットが発生する下部よりもナイフは、従来ののこぎり波が40歯の例を図16のように描画。  また、提案されてその軸に有機物、そのエッジ小さな歯も一緒に強力なゴムローラーで、このような物質の量を最小限にできるようになります彼のブレードを区切って設定されて数センチ、幅についてのセクションをはるかに広いブレードを組み込むゴム製のディスクの各軸のカッターディスクの間に介在の高い密度の有機的。 ）図17を参照してください シュレッダーの最後に、提案されたシステムガラス、スナップに基づいて、ディスクを連続してお互いに、特徴と設定のため、各小さなハンマーをディスクに、我々の場合には、例の方法によってで描画され、それぞれの関節腕、添付の番号が図番号8で18位、これが持ついくつかの小さなハンマーの各各ディスクまでのステップとして、循環セクターは、それぞれのラップを回して
円盤状のらせん状またはヘリックスは、少なくとも二つの小さなハンマー、それぞれの各ポイントの内のレコードの2つのロールでは、コンテナの中央のくぼみには、ゾーンのすべてのポイントを打っ生成ガラスの破壊のための地域、我々の例では、各各ディスクのセクターで実行されるの二つの小さなハンマーを持ち、2つのローラーの反対側のディスクの回転が存在する4本の小さなハンマーを下げる操作を含む各ブレークポイントです。
【００１７】
最後に、廃棄物の除去のコレクションのための19含まれている、彼のブレードの刃の異なる種類の混合物の上、すなわち、説明を含むように期待されては、缶、プラスチック容器、アルミニウム、プラスチック包装の裏地、紙やボードを除くのは、小さなハンマーガラスシステムは、各部門の回転に基づいて本塁打、各ナイフエッジ、これらの4種類の組み合わせ、有機各ブレードは、各ブレードは、それぞれの軸で、回転する円形の各部屋での配置位置を交互に、その4つのブレードを搭載挿入するように、360 o の自転の惨敗の連続を確保する行の中の別の顔に続く廃棄物の破砕の前の4つの方法では、二重、特定の機能との異種廃棄物の混合などが用一方、彼らのブレード、、しかも、その回転ピボットと同調して、その軸とターンと同じように楕円形のブレードの反対エキセントリックで実行される構成と循環しないではなく、やや楕円形、卵形をして前にもかかわらず、自分たちと同じ楕円形で永続的な接触が、この2番目のブレードは、有効に均等に飛んでプレゼンテーションを180度など、最初のとは対照的に焦点を当てますばならなくなるとして、図19には、その軸に彼の刃の対決の分野で効果を蛇行を定期的に回転するとき、上から見た生産に反映。 
【００１８】
これは何をさらに興味深いの機械粉砕ラチェット関数は、各軸受ハウジングには、ブレードのフレームから組み込みの軸をご利用されると、なる後輪スプロケットと同様に自転車は、回転狂牛病や不定ことができます 1方向にブレード軸：廃棄物の入力を連続的に、徐々にギアなしには、コンテナの容量を最大回転時にはドラムの反対側に引っ込む反対側のブレード軸ができますただし、この装置を無期限、それによって離れて前を飲み込むように、ピニオンの場合と同様ですから、廃棄物の出力を防止する方向で最初のターンが可能ながら、ペダルはその前方を回転保持する自転車の後輪のため、その最大値を制限する入力できるように、廃棄物の種類ごとに、それぞれのケースで、その組成、ゆっくりと徐々に最適の状況変数が用意は、単に連続的な徐々にできる嚥下機能によるコンテンツ。 
【００１９】
したがって、場合は、ふたの単一の動きを粉砕するのに十分ではなかったと、すべての廃棄物を飲み込むもう一度再入国のキャップをトリガするのに十分と同じ動作を繰り返すまで、飲み込む最後。  あなたの唯一の制限は、上向きの推力の廃棄物は、出力が上の船まで、張り過ぎることによって引き起こされる結果としては、フレームの上昇によって、ドラム側の回転を引き起こすことが期待されているブロックになるだろうヒンジフロントフラップのシェアを高めることによって、その初期位置を鋳造静止画の下側にあるフレーム、およびその高度フレームは、スライド蓋の成立を受け、全体の機械システムの動きの発生源を防ぐつもりだと述べた。   このシステムのもう一つの特徴は、これは、コンテナの2つのドラム側の回転を生成する上スライド蓋の伝送地震動の変位は、そのキャップの変位とは無関係ですコンテナの上部に手動で開くためには、背面壁には非常に反して、移動した人は、スピンするときは、容器の蓋の閉鎖時に繰越が発生する閉鎖の上部のキャップこれは、多かれ少なかれ危険な操作のような廃棄物の破砕の場所にふたを完全に、または閉じている近くの閉鎖を防止することを確保
この構成のために、ネクタイのおとり捜査中に可能な限り、この潜在的なリスクがある可能性があるふたを開けてブレードのスピンによってこのようなリスクを避けるために、徐々に、この逆関数のおかげで攻撃ができる時間は、バイザーの期待型の蓋では、一緒にいる第三百六十ヒンジをスライドさせカバーを支援され垂直方向から落ちて尾モードに戻るときに、フロントフリップ、閉じている間、2番目のセキュリティは、ホッパー砕いたとき、前述のスライド式のふたを開くと、これを持ち上げると廃棄物の処理に十分なの最後の範囲で閉じているの高さをページの先頭ですされるまでは、ふたを閉じるために始まる2番目のキャップを後方、このような廃棄物の不法投棄の地面の領域では、2番目のキャップできず、ドロップダウンを返す関数の破砕を開始する、地上での操作の安全性確保のため、すでに口や廃棄物のエントリシュート覆われていたコンテナの上部スライディング。
【００２０】
最後に、その高いその下にその軸を遮断器間の距離を許容し、ステップ幅は、許容範囲に加えて、より以前のシステムで許可されからの廃棄物は、エントリの結果として、結合軸シュレッダーから発生する可能性のある問題についてドックと独自のブレードに組み込まれ、そのような各軸上の他の耐えることのできる斜刃ねじれ、それは最終的なシステムが予想される
クリアランスは、図21号は、ブレーカの下に、ラック内の軸の固定された場所になることが初期の抵抗のシステムの配置を含む克服するために設計された収集容認温泉やピンのたるみができますシステム軸は極端な左または右、または、各軸の両端にある時に、方向に垂直に配置され、これらの温泉を検索する
フレームの両側に、それぞれのボックス内のそれぞれの軸として、ポジション1、2の例では、3第21号は、極端に対応するため、図設計のように、右側に記載され以下の優先順位、およびその唯一の使命は、2つの車軸の少ないブレードをリリースできるように、通常の並列処理を分割するため臨時のピッチを許可するように開設されるとして、はさみのペアの場合は、開いて
最後に、指定された右下の安全保障金属チェーンスプロケットのサラウンド効果は、R3とR4の歯車、彼のドラムのドラム内での優先順位の両端の回転制御を確保されるとして、ポジションを2に反映3は、図21号は、その最初の場所を彼の折々の旅行のために巣をボックス内にR4のホイールを失うことにもかかわらず、これでは、必ずしも緊張を行使を介してスイングするの
小さいスプロケットチェーンr6が、その引張軸は金属チェーンのように起こっている同様のホイールR4の初期位置の変化にもかかわらず伸びている。
【００２１】
ただし、これは斜めの位置ではチェーンの予測からは強制的に変位され配置される最後に、下部軸e2の強制変位の同一の巣の中彼のシフトの末までに発生し、シャーシにある温泉へ
上方にバンドの鋸歯状の内側のリングを右ドラムローリング運転で彼の一定のお問い合わせ、この問題を宣告されるに斜めに従います。 
【００２２】
ブレードの4つのシャフトの永続的なクリーンアップ同様に、各軸の下に置くには、それぞれの繧，軸上の突起の回転予報ように突起永久を提供することで、
金属櫛の配置を期待されて掃除やブロックを解除その刃の間には、フレームの場合と軸に固定してその添付ファイルは、医院見越して、動けなくなることが廃棄物の中には、
可能性は、右端のクリアランスを介して移動することが指定された以下の軸を清掃許さその櫛の服従ではなく、フレームにブラケットを直接車軸に以下の永久並行して続けても接続を介して作られて提供される。  
同様に容器を空に湾曲した開放のフックのペアの配置を提供/フレームの前面側の下部には終値が、ただし、これらは通常、コンテナの前面の上端までの効果によって接続されてこれらのフックにはドックからの圧力に、
しかしそれは、この圧力をかけて自分たちのガラスは、フロントの空洞の下でリリースする場所をトリガーするには、トラックの櫛リフトアームを保持されている圧力によって解放されることが予想されるフレームのフック。  
【００２３】
また、ただし、オプションでは、国内規模のガラス容器の底に簡単な電子重量インジケータと、トレイには、重量センサは、カップの底とは、コンテナの下部との間の場所をサポートして配置することができます提供どちらか、
そこから独自のひねりを加えた充電自体に置かれて、単純なバッテリや発電機によって駆動することができますが、低コスト、指定された
懐中電灯負荷ダイナモ電源として市場には、この発電機は、ブレードの軸のいずれかの端に、電子インジケータは、上の自分の体重を配置することが双方ドラムの他の行に追加の発電機を配置する可能性などに配置することができますコンテナの正面のように戻ることを通じて、
伝統的な体重のメモリシステムキログラムの量をとりわけを示す可能性があります
するたびに私たちは、このコンテナミル、またはデータを収集するための架空の市の管理操作を中心に紹介を使用入力して廃棄物は、このようなコンテナがいっぱいですいつでも、廃棄物、または1つの広告の実際の重量なので、
長いと電気回路のSMSメッセージをシンプルな携帯電話、その電荷を介して、ブロードキャストのようなシステムを組み込むも、またはを介してのスタックを行うことができます
発電機は、充電自体は、そのときに、フレームが恒久的な信号を"巡回裁判所"とは、入力キロでこのようなデータを組み合わせる鉛張り過ぎることの結果として、
フロントサイドで発生、このような記号を確保するため、しているなどの情報の追加の利点をリアルタイムで提供することができるコンテナのフルているすべての回では、
などが知られていることは、実際のオーバーフローを満たしている
そのコレクションのいくつかの既存のインターネット検索エンジンを行うとして循環安価なルートのGPSを整理することができますシンプルなブラウザプログラムを介して経路の設計システムを明確にすることができます。 
【００２４】
代替電力：図24。 
【００２５】
最初の選択肢が少ない生態としては、コンテナのスライド上部のふたを手動で置換し、電気モーターを配置することによって引き起こされることができる機械的な起源を置き換える
その容器に分離して、コンテナのフレーム内局在とその電源または外部電源やバッテリーは、ポータブルコンテナコンテナに組み込ま運ぶことができできる電力は、
この種の特徴これは、ドラムの原動力といけないのそのエンジンの上部カバーが、そのフレーム内の配置を持つドライブシャフトの用意がある、または側面に、太鼓、
またはその両方で、または、次の引用ドラムは、各モータのドラムを保証スプロケットシステムです。  
として別の場所にエンジンを上記縦方向の中央基地に沿って容器の底には、このエンジンを配置するように、両端をこの軸と右サイドの壁を左に突出すると予想することができますのシャフト、
これらの両端に、その下部中央エリアでのコンテナは、それぞれに運動を駆動するとドラムと左右2つの別々の円錐歯車シャフトでは、ストラップやチェーン、プーリーまたはスプロケットであっても、
左のチェーンの廃棄物ガラスの分離では、別の側面の下に保護カバー、予想モーター伝送に位置されている対外開放のメンテナンスや臨時の修理のためにヒンジふたをして取り付け、さらにストラップやのケースを提供するチェーンの配置、
上部外側にはカバーガラスの下で、変更する歯車のシステムを変更するシステムとしての自転車は、これらのストラップやピニオン側からの送信のチェーンを通過できるように歯車別の同一のギヤピニオンの横にそれと平行にドラムの軸のため、
これを有効に、一度シフトレバーを介してシステムの変更がアクティブ化外部の変更、およびチェーンのピニオンギヤを並列ドラム渡すことができますので、
伝送のチェーンにはドラムと彼の添付ファイルのフレーム側にリリースされますので、その伝統的な場所からフレームを出力できるように自由にすることができます容器を空には、
サイドドラムの駆動チェーンには、圧着を介して、チェーンドライブの動きを有効にするために発生する予定ですが欲しい
前述のシステムの変更は、追加の遊動輪のベルトの垂直方向の移動に沿って配置を提供することにより、サプライチェーンの張力の許容値は、/チェーン許容歯車被告を与えた。
【００２６】
別の家庭ごみコンテナ：図番号22参照してください：   
【００２７】
その他にも国内のゴミコンテナを提供しますが、小さいサイズのが、同一の研削モータの選択肢、すなわち、手動または電気だけでなく、同社のハイブリッドシステムと、家庭ごみのコンテナのタイプの特性があるものの、コンテナには、携帯の代替ミルですすなわち：車輪と小さい使用目的
公共道路、それも、例えば、キッチンでは、ギャラリーでは、あらゆる種類の混入の期待を持ってベンチの場所にごみ容器のオプションは、固定寸法は、キャビネットのモジュール内に位置し削減を提供します拒否のもようだ、より適切な共同カッターシステムブレードの基本的なブレードシステムでは、学び、その代わり、すべての国内コンテナに参加する
債権としての基本的なモデルや一般の下で定義されます。 
【００２８】
これらのすべての変数を無効のため、その安全キャップときにのみ保証がない、その操作が安全されます研削、いずれかの理由がブレードを移動しているふたは、
入力が閉じてあなたのシステムを運用することができる国内のゴミコンテナの特徴があります質問かどうか、機械や電気、あるいは駆動力というのは、ふたが開いているそこのグリッドです。 
セキュリティカバーと小さな破片のみを通過、それを可能にするごみ容器の口の近くにある上に、外部スイッチの規定による補助者の身体の四肢の可能なエントリを防ぐことができますは、
ブレードの間に位置ユーザーは、エンジンを停止し、自分の場合は逆のブロックを解除してドライブの代替科目または手動でシステムのブレーキレバーを見越して、 
は、ブレードを停止回転アクションバンドの運転では、R2のフロントホイールの接触領域の下にブレーキのボルトを爆破するとの軸は、どのような2つの車軸以下に動きを与えるが、ドラムロール内部刃。 
【００２９】
ブレード粉砕機の品種をダブル拡張子：
【００３０】
その機械的開放の各操作をカバーしたと仮定すると十分なされていない廃棄物の任意の特定のタイプとの破砕のため
は、各ブレード軸シュレッダー、すべての開いてカバーを返すの詳細を開発するだけでスプロケットの間に二重の開発を仲介することが望ましいと考えられる外側の左下と右にふたをし、バンドの双方に連絡を歩くその上運転し、同時に別のスプロケットのそれとが、同心円状の移の移動先のギアになりますドラムと右のため、左側のローリング歯の二重番号、またはトリプル、4人... 、誰が、各側のドラムトレッドを移動するための責任になります。
【図１】
2010524805.tif 000003
【図２】
2010524805.tif 000004
【図３】
2010524805.tif 000005
【図４】
2010524805.tif 000006
【図５】
2010524805.tif 000007
【図６】
2010524805.tif 000008
【図７】
2010524805.tif 000009
【図８】
2010524805.tif 000010
【図９】
2010524805.tif 000011
【図１０】
2010524805.tif 000012
【図１１】
2010524805.tif 000013
【図１２】
2010524805.tif 000014
【図１３】
2010524805.tif 000015
【図１４】
2010524805.tif 000016
【図１５】
2010524805.tif 000017
【図１６】
2010524805.tif 000018
【図１７】
2010524805.tif 000019
【図１８】
2010524805.tif 000020
【図１９】
2010524805.tif 000021
【図２０】
2010524805.tif 000022
【図２１】
2010524805.tif 000023
【図２２】
2010524805.tif 000024
【図２３】
2010524805.tif 000025
【図２４】
2010524805.tif 000026
【図２５】
2010524805.tif 000027
【国際調査報告】
2010524805.tif 000028
2010524805.tif 000029
2010524805.tif 000030
2010524805.tif 000031
2010524805.tif 000032
2010524805.tif 000033
2010524805.tif 000034
2010524805.tif 000035
2010524805.tif 000036
2010524805.tif 000037